(57)【要約】【課題】電柱を所定高さで水平方向に切断する際電柱への取付け作業が容易で地上操作でも切断作業が可能であり、冷却水を必要とせず、建物の壁際での切断作業を行うことができ、さらには粉塵の飛散を防止し得る電柱切断工具及び電柱切断工法を提供する。【解決手段】電柱に固定した仮受金具から水平に延長されたスライドシャフトに沿ってシリンダーで駆動される移動架台が設けられ、該移動架台の上部に作業架台が固定されると共に、移動架台に固定されたモータの回転軸が作業架台の上部に向けて突設され、該モータの回転軸に接続された駆動プーリにエンドレスに係合されたワイヤソーを作業架台の左右の延長部先端に設けた一対の案内プーリに掛けて、これらの案内プーリ間でワイヤソーを直線状に張設した構成とし、該一対の案内プーリ間の直線状のワイヤソーを電柱の側部に臨ませた状態で駆動プーリを回転しながら移動架台を電柱の背面方向へ移動するようにした。【選択図】図４
2014037676.tif 000002
【特許請求の範囲】
【請求項１】
電柱に固定した仮受金具から水平に延長されたスライドシャフトに沿ってシリンダーで駆動される移動架台が設けられ、該移動架台の上部に作業架台が固定されると共に、移動架台に固定されたモータの回転軸が作業架台の上部に向けて突設され、該モータの回転軸に接続された駆動プーリにエンドレスに係合されたワイヤソーを作業架台の左右の延長部先端に設けた一対の案内プーリに掛けて、これらの案内プーリ間でワイヤソーを直線状に張設した構成とし、該一対の案内プーリ間の直線状のワイヤソーを電柱の側部に臨ませた状態で駆動プーリを回転しながら移動架台を電柱の背面方向へ移動するようにしたことを特徴とする電柱切断工具。
【請求項２】
仮受金具と、移動架台を取付けるスライドシャフトを備えたベース部と、作業架台とが取り外し可能に結合される構成により、仮受金具とベース部と作業架台とを別体で搬送可能としたことを特徴とする請求項１記載の電柱切断工具。
【請求項３】
ワイヤソーの回転方向側の案内プーリを覆う延長部に集塵カバーを設け、該集塵カバーに吸引口を設けると共に、該集塵カバーに電柱の周面のアールに沿って可動するアームカバーを設けたことを特徴とする請求項１又は２記載の電柱切断工具。
【請求項４】
電柱の切断面の上下位置を結合するベルトを電柱の高さ方向に設けた支柱部材の上下部位に取り外し可能に設け、上下のベルトを電柱の切断面の上下位置に結合することによって、電柱の切断後の振れ止めを行うようにしたことを特徴とする請求項１、２又は３記載の電柱切断工具。
【請求項５】
電柱に固定した仮受金具から水平に延長されたスライドシャフトに沿って移動架台を一定圧力で移動する一方、移動架台に固定されたモータの回転軸に駆動プーリを接続し、該駆動プーリにワイヤソーをエンドレスに係合して、該ワイヤソーを移動架台の上部に設けた作業架台の左右の延長部先端において回転する一対の案内プーリに掛けて、ワイヤソーに一定張力を与え、該一対の案内プーリ間で直線状に張設されたワイヤソーを電柱の側部に臨ませた状態で回転駆動させながら移動架台を電柱の背面方向へ移動することにより、直線状のワイヤソーを電柱に対して一定圧力で押し付けて電柱を切断するようにしたことを特徴とする電柱切断工法。
【発明の詳細な説明】
【技術分野】
【０００１】
本発明は、既設の電柱を現場に立設した状態で、所定の高さを水平方向に切断する電柱切断工具及び電柱切断工法に関する。
【背景技術】
【０００２】
電柱の立設現場にて既設の電柱を撤去する作業は、撤去後の電柱を運搬車両に積載して搬送するため、その電柱を所定の長さに切断する必要がある。そのための施工法としては、従来から、円盤ブレード式カッターや油圧クラッシャー等を用いた工法が採用されている。
【０００３】
これらの施工法において、円盤ブレード式カッターを用いた電柱切断工法は、電柱の外周に沿って円盤状のブレードを回転しながら自走させることにより電柱を切断する工法である。このため、切断作業時に、電柱の周囲に切断装置の可動スペースが必要となるが、電柱が建物の壁際等に接近している状況において電柱の切断作業を行うことは不可能である。
【０００４】
また、円盤ブレード式カッターは、電柱の切断作業中に、刃部が電柱の切り口に噛み込まれて破損するおそれがあった。また、切断作業中にブレードの過熱を防止するために冷却水を使用すると、この冷却水がコンクリートの切削粉と混ざり合って混合汚水を発生させる。さらに、この汚水がブレードの回転で周囲に飛散するため、これを防止するためにビニールシート等を設ける必要があり、その養生に面倒な手間を必要としていた。
【０００５】
次に、油圧クラッシャーを用いた電柱切断工法は、油圧式の爪で電柱を挟み込んでコンクリート部分を破砕する工法である。このため、コンクリート片が周囲に飛散する危険性があった。さらに、コンクリート部分を粉砕した後に露出する鉄筋をアセチレンガス等で切断するため、火の粉が発生するという危険性もあった。
【０００６】
ここで、上記の工法に関連する従来技術について特許文献１を参照すると、この文献の電柱切断機は、円盤状のカッターブレートを使用したものである。この文献の切断機にはカッターブレードカバーが取り付けられ、そのカバーに設けられた排気管にホースを接続して、切断時に発生したコンクリート粉を吸引機で吸引するようにしている。しかしながら、この文献の電柱切断機は上記の円盤ブレード式カッターを用いた工法と同様に冷却水を使用する電柱切断工法であり、同様の欠点を有するものである。
【０００７】
さらに、特許文献２の切断装置は、ワイヤソーを使用した切断方法及び切断装置を構成してあり、切断対象物に向けてワイヤソーを一対のガイドプーリと駆動プーリ間に無端状に巻き掛けて高速回転するようにしている。また、この切断装置は、切断対象物に対するワイヤソーの接触角度を種々に変えることにより、ワイヤソーを対象物に小さい接触面積で接触させて切断するようにしている。
【０００８】
しかしながら、特許文献２の切断方法及び切断装置は、一対のガイドプーリを走行させる走行レールが切断対象物の左右両側に設けられた構成である。このため、電柱切断作業の際には電柱の周辺に切断装置の可動スペースが必要となり、壁際等ではこの切断装置を使用することが不可能となる。また、この文献の装置は、ワイヤソーを切断対象物の外周に弧状に接触させて切断するようにしている。このため、電柱を切断する場合は左右両側に設けられた走行レールに沿って左右のガイドプーリを電柱の背面側の奥深くまで移動させる必要があり、電柱の背面側にも装置の可動スペースが必要となる。
更に、特許文献２の切断装置を立設した状態の電柱の所定高さに取り付けるには、装置が大型となることから作業性が悪く、電柱に登った状態での作業が不安全となる。
【先行技術文献】
【特許文献】
【０００９】
【特許文献１】特許第４７３９９３９号公報
【特許文献２】特開２００９−１０１５４２号公報
【発明の概要】
【発明が解決しようとする課題】
【００１０】
本発明は上記の事情に鑑みてなされたものであり、電柱を所定高さで水平方向に切断する際、電柱への取付け作業が容易で、地上操作でも切断作業が可能であり、冷却水を必要とせず、建物の壁際での切断作業を行うことができ、さらには粉塵の飛散を防止し得る電柱切断工具及び電柱切断工法を提供することを目的とする。
【課題を解決するための手段】
【００１１】
上記の目的を達成するために、本発明の請求項１の電柱切断工具は、電柱に固定した仮受金具から水平に延長されたスライドシャフトに沿ってシリンダーで駆動される移動架台が設けられ、該移動架台の上部に作業架台が固定されると共に、移動架台に固定されたモータの回転軸が作業架台の上部に向けて突設され、該モータの回転軸に接続された駆動プーリにエンドレスに係合されたワイヤソーを作業架台の左右の延長部先端に設けた一対の案内プーリに掛けて、これらの案内プーリ間でワイヤソーを直線状に張設した構成とし、該一対の案内プーリ間の直線状のワイヤソーを電柱の側部に臨ませた状態で駆動プーリを回転しながら移動架台を電柱の背面方向へ移動するようにしたことを特徴とする。
【００１２】
また、本発明の請求項２の電柱切断工具は、請求項１において、仮受金具と、移動架台を取付けるスライドシャフトを備えたベース部と、作業架台とが取り外し可能に結合される構成により、仮受金具とベース部と作業架台とを別体で搬送可能としたことを特徴とする。
【００１３】
また、本発明の請求項３の電柱切断工具は、請求項１又は２において、ワイヤソーの回転方向側の案内プーリを覆う延長部に集塵カバーを設け、該集塵カバーに吸引口を設けると共に、該集塵カバーに電柱の周面のアールに沿って可動するアームカバーを設けたことを特徴とする。
【００１４】
また、本発明の請求項４の電柱切断工具は、請求項１、２又は３において、電柱の切断面の上下位置を結合するベルトを電柱の高さ方向に設けた支柱部材の上下部位に取り外し可能に設け、上下のベルトを電柱の切断面の上下位置に結合することによって、電柱の切断後の振れ止めを行うようにしたことを特徴とする。
【００１５】
さらに、本発明の請求項５の電柱切断工具は、電柱に固定した仮受金具から水平に延長されたスライドシャフトに沿って移動架台を一定圧力で移動する一方、移動架台に固定されたモータの回転軸に駆動プーリを接続し、該駆動プーリにワイヤソーをエンドレスに係合して、該ワイヤソーを移動架台の上部に設けた作業架台の左右の延長部先端において回転する一対の案内プーリに掛けて、ワイヤソーに一定張力を与え、該一対の案内プーリ間で直線状に張設されたワイヤソーを電柱の側部に臨ませた状態で回転駆動させながら移動架台を電柱の背面方向へ移動することにより、直線状のワイヤソーを電柱に対して一定圧力で押し付けて電柱を切断するようにしたことを特徴とする。
【発明の効果】
【００１６】
本発明は、電柱に固定した仮受金具から水平に延長されたスライドシャフトに沿って移動架台が設けられ、移動架台の上部に作業架台が固定され、この作業架台の左右の延長部に設けられた一対の案内プーリ間で直線状に張設したワイヤソーを電柱の周部に当てて切断することを可能としている。
【００１７】
従って、上記のように仮受金具と、移動架台を取付けるスライドシャフトを備えたベース部と、作業架台は取り外し可能に結合され、これらの仮受金具とベース部と作業架台とを別体に搬送することが可能となる。また、現場にて組立てることが可能となり、結合前の分解状態の部材を人力で運搬可能な軽量に構成することが可能となる。
【００１８】
また、本発明の電柱切断工具を電柱に固定した後、作業者は地上に待機した状態でモーターと作業架台の入り切り操作によって切断装置を稼動させることが可能となるため、従来のように作業者が電柱に登った状態で作業をする必要がなく、安全に切断作業を行うことが可能となる。
【００１９】
さらに、本発明によれば、作業架台の左右の延長部に設けた一対の案内プーリ間で直線状に張設したワイヤソーを電柱の周部に当てて切断することが可能となる。また、これらの案内プーリ間のワイヤソーに一定張力を与え、移動架台を一定圧力で移動することにより、直線状に張設されたワイヤソーを電柱の側部に臨ませた状態で回転駆動させながら電柱の背面方向へ移動させることにより、直線状のワイヤソーを電柱に対して一定圧力で押し付けて電柱を切断することが可能となる。
【００２０】
従って、本発明によれば、電柱の手前側に案内プーリ間で直線状に調節されたワイヤソーを電柱の背面方向へ押し付けることによって電柱の切断を行うため、切断面とワイヤソーとの接触圧力を一定の状態にして切断を遂行することが可能となり、ワイヤソーの抜けや破断を防止することが可能となる。また、このワイヤソーの押付け力を調整することに併せて、モータの速度調整を行うことにより、ワイヤソーの過熱を防止することが可能となる。このため、冷却水を必要とせずにワイヤソーを短尺化して工具全体の小型化を可能にすると共に、粉塵や騒音を抑えることも可能となる。
【００２１】
さらに、上記のように作業架台の延長部先端に左右の案内プーリ間で回転するワイヤソーが一定の張力を保つように調整されているため、切断時におけるワイヤソーの撓みを最小限に抑えることが可能となる。このため、ワイヤソーで電柱を切断しながら水平方向に進ませた際、電柱の背面側へ離隔する部位が少なく、電柱の背面側が建物の壁際に接近している場合でも、本発明の電柱切断工具を電柱の手前側に取り付けることにより切断作業を行うことが可能となる。
【００２２】
また、本発明において、作業架台の左右の案内プーリを覆う集塵カバーを設け、さらに集塵カバーに電柱側面のアールに沿って可動するアームカバーを設けたことにより、上空で強い風が吹いている場合でも、電柱切断作業時の粉塵の飛散を最小限に軽減することが可能となる。このため、従来のように、冷却水に粉塵が混合された際の混合汚水が発生することもなくなる。
【００２３】
さらに、本発明の電柱の切断作業において、電柱の切断面の上下位置を支柱部材に固定した上下のベルトで結合することにより、電柱の切断後の振れ止めを行うことが可能となる。従って、従来のように電柱の上部で振れ止め作業を人力で行う必要がなく、切断面の上部側の電柱が横振れすることによって近接した建物等に振れたり、横断する電線類に接触することもなく、作業時の安全性を確保することが可能となる。
【図面の簡単な説明】
【００２４】
【図１】（ａ）は本発明による実施形態の電柱切断工具における作業架台の斜視図であり、(ｂ)は移動架台を取り付けたベース部を仮受金具に取り付けた状態を示す斜視図である。
【図２】本発明による実施形態の電柱切断工具の斜視図である。
【図３】本発明による実施形態の電柱切断工具を電柱に取り付けた状態を示す側面図である。
【図４】本発明による実施形態の電柱切断工具を電柱に取り付けた状態を示す斜視図である。
【図５】本発明による実施形態の電柱切断工具に使用する集塵カバーの図であり、（ａ）は平面図、(ｂ)は（ａ）の右側面図、(ｃ)は（ａ）のアームカバー側の側面図である。
【図６】（ａ）、(ｂ)は、本発明による実施形態の電柱切断工具に使用する振れ止め治具の斜視図である。
【図７】（ａ）〜(ｃ)は、本発明による実施形態の電柱切断工具で電柱を切断している際の部分平面図である。
【発明を実施するための形態】
【００２５】
本発明の実施形態について図面を参照しながら説明する。
【実施例】
【００２６】
本実施形態の電柱切断工具１は、図１(ａ)、(ｂ)に示すように、仮受金具２とベース部１Ｂに設けられた移動架台３と作業架台４とが取り外し可能に結合される構成により、仮受金具２とベース部１Ｂと作業架台４とを別体に搬送可能とし、また現場にて組立て可能としている。このような構成において、図１(ｂ)に示す仮受金具２はベース部１Ｂに結合した状態に図示しているが、後述する回転ノブ１４に設けたネジ部１４ａを緩めることによってベース部１Ｂは仮受金具２から分離された状態となる。
【００２７】
また、仮受金具２は、図２又は図３に示すように、電柱Ｄの周部に沿って所定の離間位置で電柱Ｄの側部に当接するようにした左右一対の縦板５ａ、５ｂが矩形側板６に固定され、これらの縦板５ａ、５ｂを上下の横板７ａ、７ｂで固定することによって高剛性の構造を形成している。
【００２８】
また、左右一対の縦板５ａ、５ｂの両側には上下に配したアングル部材８が固定され、各アングル部材８にはチェーン取付け部材９が結合されている。夫々のチェーン取付け部材９は、所定長さのチェーン１０ａ、１０ｂの一端を接続する接続部材１１ｂが結合され、チェーン１０ａ、１０ｂの他端を他側のチェーン取付け部材９のネジ部に螺締された締付部材１１ａに結合した構成としている。
【００２９】
このような構成により、締付部材１１ａに設けられた拡開形状のレバー１３を手動で捻じ込み、図３又は図４に示すように、電柱Ｄの外周に巻回した上下のチェーン１０ａ、１０ｂを締め付けることによって、仮受金具２を電柱Ｄに対して堅固に取り付けることができる。
【００３０】
また、図２に示すように、ベース部１Ｂの端部に設けられた垂直方向を向く支持板１２の上部のフック部１２ａを仮受金具２の側板６の上端に掛けて内側から回転ノブ１４に設けたネジ部１４ａを締め付けることにより、ベース部１Ｂを仮受金具２に結合可能としている。
【００３１】
上記のベース部１Ｂは、図１(ｂ)に示すように、支持板１２から水平に延長されたスライドシャフト１５ａ、１５ｂに沿って移動可能に取り付けられた移動架台３が設けられ、この移動架台３が両側のシリンダー１６ａ、１６ｂで駆動される構成とされている。このような構成において、２本のシリンダー１６ａ、１６ｂの端部は離間幅を保った状態で幅部材１７に固定され、夫々のシリンダー１６ａ、１６ｂの各シリンダーロッド１６ｃ、１６ｄを支持板１２の側部に固定した構成としている。
【００３２】
また、移動架台３の下部にはモータ１８が回転軸１８ａを上方に突出した状態で固定されている。このモータ１８としては油圧モータが使用され、一定のトルクで駆動することが可能とされている。
【００３３】
また、移動架台３は、スライドシャフト１５ａ、１５ｂに沿って移動架台３と支持板１２の間に設けられたシリンダー１６ａ、１６ｂにより、一定の圧力で送り方向へ移動することが可能とされている。
【００３４】
さらに、上記の移動架台３は、その上部に支持台２０を固定してあり、支持台２０の上部には作業架台４が固定される。この支持台２０の下部は、支持台２０の上面に上載した作業架台４を固定するネジ構造或いはヒンジ構造の不図示の固定手段が構成されている。
【００３５】
また、このような構成において、支持台２０の中央にはモータ１８の回転軸１８ａが突設され、支持台２０の上面に作業架台４を固定した状態で上方へ向けて突出された回転軸１８ａに大径の駆動プーリ２１が接合される。この駆動プーリ２１は外周部に不図示のゴム部材が嵌め込まれ、駆動プーリ２１に掛けられたワイヤソー２２の圧接をゴム弾性で支持した状態で送り方向へ移動するようにしている。
【００３６】
また、作業架台４は、図１(ａ)に示すように、上記の駆動プーリ２１を内方に収納すると共に、作業架台４の前方にＵ形状湾曲部２３を形成して、その内部空間を前方に向けて開放した形状としている。また、Ｕ形状湾曲部２３の左右に延長部２４ａ、２４ｂが形成され、各延長部２４ａ、２４ｂの端部には案内プーリ２５ａ、２５ｂが回転可能に設けられている。なお、作業架台４のＵ形状湾曲部２３は、作業架台４を電柱Ｄ側に前進させた時、Ｕ形状湾曲部２３内の空間に電柱Ｄが挿入された状態となってワイヤソー２２の前進を行うことが可能となる。
【００３７】
さらに、作業架台４の上面には駆動プーリ２１の近傍であって上記の左右に延長部２４ａ、２４ｂとは反対側に左右一対の小径のサブプーリ２６ａ、２６ｂが回転可能に設けられている。また、作業架台４は、上記のＵ形状湾曲部２３以外の外周であって、これらの左右一対のサブプーリ２６ａ、２６ｂと上記の左右一対の延長部２４ａ、２４ｂの案内プーリ２５ａ、２５ｂとを囲むように外周カバー片２７が形成されている。
【００３８】
本実施形態においては、駆動プーリ２１と左右のサブプーリ２６ａ、２６ｂと左右の案内プーリ２５ａ、２５ｂの各外周にエンドレスに形成されたワイヤソー２２が掛けられ、左右の案内プーリ２５ａ、２５ｂ間でワイヤソー２２は直線状に張設した構成とされている。このため、左右の案内プーリ２５ａ、２５ｂの内側におけるＵ形状湾曲部２３を成す周部にはワイヤソー２２を通過させる空間を有する開口部２８が形成されている。なお、この開口部２８は、後述する集塵カバー３１ｂ内に粉塵を吸引する際の吸引口としても機能する。
【００３９】
上記のワイヤソー２２は、芯材として用いたワイヤの外周に所定間隔でダイヤモンドビーズを固定し、ワイヤの端部同士を連結したエンドレスダイヤモンドワイヤソーを使用すると良い。このようなワイヤソー２２を使用した際、電柱Ｄの切断作業時の摩擦によって発生する過熱を冷却するため長尺とするのが望ましい。しかしながら、ワイヤソー２２を過度に長くすると作業架台４が大型化するため適度の長さとし、余長を駆動プーリ２１の近傍に設けられた左右一対のサブプーリ２６ａ、２６ｂに掛けることによって、左右の案内プーリ２５ａ、２５ｂ間に露呈した直線状のワイヤソー２２の張力を一定に保つようにしている。
【００４０】
従って、ワイヤソー２２の張力は、該ワイヤソー２２の長さや、駆動プーリ２１と左右のサブプーリ２６ａ、２６ｂの位置関係によって一定の張力に保つことができ、駆動プーリ２１又は左右のサブプーリ２６ａ、２６ｂの設置位置を調整可能に構成することによって、経年によるワイヤソー２２の撓みを調整して一定の張力に保つことも可能となる。
【００４１】
なお、上記の構成において、作業架台４の上面には、左右夫々において片側のサブプーリ２６ａ、２６ｂと案内プーリ２５ａ、２５ｂとを連結する部位に、ワイヤソー２２を外周カバー片２７側に囲む断面L字形の立設カバー２９が固定されている。また、作業架台４の四方に突設された立ち上げ片３０には貫通穴３０ａが形成され、夫々の貫通穴３０ａに不図示のワイヤが掛けられることにより、作業架台４を上方から吊り下げることが可能となる。
【００４２】
さらに、本実施形態において、図４に示すように、ワイヤソー２２の回転方向側の案内プーリ２５ａ、２５ｂを覆う延長部２４ａ、２４ｂに集塵カバー３１ａ、３１ｂを設け、ワイヤソー２２の回転方向側の集塵カバー３１ｂに吸引口３２を設けた構成としている。この集塵カバー３１ｂの吸引口３２は不図示のホースを接続して地上に設置したバキューム装置に接続し、該バキューム装置の吸引力によってワイヤソー２２の回転方向に飛散する粉塵を集塵カバー３１ｂの開口部２８（図２参照）の内部に吸引した後、バキューム装置に集塵するようにしている。
【００４３】
また、図５(ａ)〜(ｃ)に示すように、少なくとも粉塵を吸引する側の集塵カバー３１ｂには、図７に示すように電柱Ｄの周面のアールに沿って可動するアームカバー３３ａ、３３ｂが設けられている。これらのアームカバー３３ａ、３３ｂは、図５(ａ)に示すように、断面コ字形であって先端を内側に屈曲した屈曲部３５ａ、３５ｂを有する長尺片の端部に弾性を有するバネ部材３４ａ、３４ｂが固設されている。このバネ部材３４ａ、３４ｂを集塵カバー３１の開口部２８の両側に沿って固定した構成とすることにより、両方のバネ部材３４ａ、３４ｂを屈曲させて可動することが可能である。なお、集塵カバー３１ｂの開口部２８の上下には補助板３３が固定され、開口部２８の内部へ吸引される粉塵が周辺に飛散するのを防止するようにしている。
【００４４】
さらに、本実施形態においては、図６に示すように、電線切断工具１を使用する際、電柱Ｄの切断後の振れ止めを防止するために、電柱Ｄの高さ方向に設けた支柱部材３７の上下部位に電柱Ｄの切断面Ｃの上下位置を結合するベルト３６ａ、３６ｂを取り外し可能に設けた振れ止め治具４１を構成している。
【００４５】
より具体的には、図６に示すように、振れ止め治具４１は、支柱部材３７の上下部位に互いに直角方向に張り出した断面コ字形の張出金具３８ａ、３８ｂを固定し、一方の張出金具３８ａに固定したリング部材３９にベルト３６ａ、３６ｂの一端を係止し、ベルト３６ａ、３６ｂの他端をラッチ構造４０を介して他方の張出金具３８ｂに締結する構成としている。
【００４６】
このような構成により、電柱Ｄを切断する前に、上下のベルト３６ａ、３６ｂを電柱Ｄの切断面Ｃの上下位置に結合することによって、電柱Ｄの切断面Ｃの上下部位を予め固定しておき、切断後の電柱Ｄの振れ止めを行うことが可能となる。
【００４７】
上記の構成により、電柱Ｄを所定箇所で切断するには、図１に示すように、本実施形態の電柱切断工具１を分解した状態で搬送する。次いで、図３又は図４に示すように、電柱Ｄの所定高さに仮受金具２を固定し、該仮受金具２にベース部１Ｂを固定すると共に、ベース部１Ｂの移動架台３に作業架台４を固定する。なお、図４には、集塵カバー３１ｂにアームカバー３３ａ、３３ｂを取り付けていない状況を示すが、アームカバー３３ａ、３３ｂを集塵カバー３１ｂに取り付けた状態は図７(ａ)に示すようになる。
【００４８】
即ち、図７(ａ)に示すように、２本のスライドシャフト１５ａ、１５ｂに沿って作業架台４を一定圧力で電柱Ｄ側に移動することにより、一対の案内プーリ２５ａ、２５ｂ（ただし、案内プーリ２５ａは図示していない）間で直線状に張設されたワイヤソー２２を電柱Ｄの側部に臨ませた状態にする。
【００４９】
さらに、ワイヤソー２２を電柱Ｄの背面方向へ移動すると、図７(ｂ)に示すように、直線状のワイヤソー２２を電柱Ｄに対して常時一定の接触角度で接触させて電柱Ｄを水平に切断することが可能となる。次いで、ワイヤソー２２をそのまま水平に移動することにより、電柱Ｄの切断面に対して直線状に接触した状態で切断作業を進め、図７(ｃ)に示すように、ワイヤソー２２が電柱Ｄの背面に到った状態で完全に切断することが可能となる。
【００５０】
また、このような切断作業において、電柱Ｄの切断作業の進行に伴って両方のアームカバー３３ａ、３３ｂが電柱Ｄの周面のアールに沿って可動する。さらに、不図示のバキューム装置の吸引力によってワイヤソー２２の回転方向に飛散する粉塵を吸引する際、アームカバー３３ａ、３３ｂに沿って粉塵を集塵カバー３１の内部に集めることができ、吸込口２２からバキューム装置へと吸塵することが可能となる。
【００５１】
なお、上記の構成においては、電柱Ｄの切断について述べてあるが、本実施形態の電柱切断工具１によれば、切断対象は電柱等のように内部に鉄筋を設けたコンクリート柱のほか、内部に鉄筋を設けないコンクリート柱、さらには金属製の柱体等にも適用可能である。
【産業上の利用可能性】
【００５２】
本発明の電柱切断工具及び電柱切断工法は、電柱を所定高さで水平方向に切断する際、電柱への取付け作業が容易で、地上操作でも切断作業が可能であり、冷却水を必要とせず、建物の壁際での切断作業を行うことができ、さらには粉塵の飛散を防止し得る電柱切断工具及び電柱切断工法として利用可能である。
【符号の説明】
【００５３】
１  電柱切断工具
１Ｂ  ベース部
２  仮受金具
３  移動架台
４  作業架台
５ａ、５ｂ  縦板
６  矩形側板
７ａ、７ｂ  横板
８  アングル部材
９  チェーン取付け部材
１０ａ、１０ｂ  チェーン
１１ａ  締付部材
１１ｂ  接続部材
１２  支持板
１２ａ  フック部
１３  拡開形状のレバー
１４  回転ノブ
１４ａ  ネジ部
１５ａ、１５ｂ  スライドシャフト
１６ａ、１６ｂ  シリンダー
１６ｃ、１６ｄ  シリンダーロッド
１７  幅部材
１８  モータ
１８ａ  回転軸
２０  支持台
２１  駆動プーリ
２２  ワイヤソー
２３  Ｕ形状湾曲部
２４ａ、２４ｂ  延長部
２５ａ、２５ｂ  案内プーリ
２６ａ、２６ｂ  サブプーリ
２７  外周カバー
２８  開口部
２９  立設カバー
３０  立ち上げ片
３０ａ  貫通穴
３１ａ、３１ｂ  集塵カバー
３２  吸引口
３３  補助板
３３ａ、３３ｂ  アームカバー
３４  バネ部材
３５ａ、３５ｂ  屈曲部
３６ａ、３６ｂ  ベルト
３７  支柱部材
３８ａ、３８ｂ  張出金具
３９  リング部材
４０  ラッチ構造
４１  振れ止め治具
Ｃ  切断面
Ｄ  電柱
【図１】
2014037676.tif 000003
【図２】
2014037676.tif 000004
【図３】
2014037676.tif 000005
【図４】
2014037676.tif 000006
【図５】
2014037676.tif 000007
【図６】
2014037676.tif 000008
【図７】
2014037676.tif 000009